(57)【特許請求の範囲】
【請求項１】
電力管理装置であって、
電力需要施設における消費電力の目標を示す第１目標情報、および前記電力需要施設における消費電力の計測結果を示す第１計測情報を取得する取得部と、
前記取得部によって取得された前記第１目標情報および前記第１計測情報に基づいて、前記目標の達成を判断する判断部とを備え、
前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、
前記電力管理装置は、さらに、
前記取得部によって取得された前記第２目標情報および前記第２計測情報に基づいて、前記エリア単位での消費電力の目標の達成に関する判断が可能な内容を表示する制御を行う表示制御部を備え、
前記取得部は、消費電力の目標が未達成の前記エリアが存在する場合、前記エリアにおける１または複数の機器の消費電力の目標を示す第３目標情報を取得し、かつ前記機器の消費電力の計測結果を示す第３計測情報を取得し、
前記表示制御部は、前記取得部によって取得された前記第３目標情報および前記第３計測情報に基づいて、前記機器単位または前記機器を含むグループ単位での消費電力の目標を達成するためのアドバイスを、前記内容とともに１つの画面に表示する制御を行う、電力管理装置。
【請求項２】
前記電力管理装置は、さらに、
前記取得部によって取得された前記第３目標情報および前記第３計測情報に基づいて、前記第３目標情報の示す目標が未達成の前記機器、または前記機器を含むグループにおける前記機器の動作を、前記目標が達成できるように変更する機器制御を行う機器制御部を備える、請求項１に記載の電力管理装置。
【請求項３】
前記第１目標情報は、ＤＲ（Ｄｅｍａｎｄ  Ｒｅｓｐｏｎｓｅ）における目標を示し、
前記電力管理装置は、さらに、
前記第１目標情報に基づいて前記第２目標情報を作成する目標作成部を備える、請求項１または請求項２に記載の電力管理装置。
【請求項４】
前記取得部は、さらに、前記電力需要施設に対応する気象情報を取得し、
前記表示制御部は、前記取得部によって取得された前記気象情報にさらに基づいて、消費電力の目標を達成するためのアドバイスを表示する制御を行う、請求項１から請求項３のいずれか１項に記載の電力管理装置。
【請求項５】
前記取得部は、さらに、前記電力需要施設に対応する気象情報を取得し、
前記機器制御部は、前記取得部によって取得された前記気象情報にさらに基づいて前記機器制御を行う、請求項２に記載の電力管理装置。
【請求項６】
電力管理装置において用いられる電力管理プログラムであって、
コンピュータを、
電力需要施設における消費電力の目標を示す第１目標情報、および前記電力需要施設における消費電力の計測結果を示す第１計測情報を取得する取得部と、
前記取得部によって取得された前記第１目標情報および前記第１計測情報に基づいて、前記目標の達成を判断する判断部と、
として機能させるためのプログラムであり、
前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、
さらに、コンピュータを、
前記取得部によって取得された前記第２目標情報および前記第２計測情報に基づいて、前記エリア単位での消費電力の目標の達成に関する判断が可能な内容を表示する制御を行う表示制御部、
として機能させるためのプログラムであり、
前記取得部は、消費電力の目標が未達成の前記エリアが存在する場合、前記エリアにおける１または複数の機器の消費電力の目標を示す第３目標情報を取得し、かつ前記機器の消費電力の計測結果を示す第３計測情報を取得し、
前記表示制御部は、前記取得部によって取得された前記第３目標情報および前記第３計測情報に基づいて、前記機器単位または前記機器を含むグループ単位での消費電力の目標を達成するためのアドバイスを、前記内容とともに１つの画面に表示する制御を行う、電力管理プログラム。
【発明の詳細な説明】
【技術分野】
【０００１】
本発明は、電力管理装置および電力管理プログラムに関し、特に、電力需要施設における電力消費を抑制する電力管理装置および電力管理プログラムに関する。
【背景技術】
【０００２】
従来、電力需給が逼迫している場合等に一般家庭およびオフィス等の電力需要施設における電力消費が抑制されるように、電力需要施設における電力消費を管理するシステムが開発されている。
【０００３】
たとえば、特許文献１（特開２０１２−２０５３５８号公報）には、以下のような技術が開示されている。すなわち、電力管理システムは、予め登録された複数の参加者を含むコミュニティに関する参加者リストを保持する保持部と、電力削減制御の実行の要否を判定する判定部と、電力削減制御の実行が必要であると判定部が判定した場合に、参加者リストに含まれている複数の参加者の中から、電力削減制御の対象となる一以上の対象者を選定する選定部と、選定部によって選定された対象者に関して、電力削減制御を実行する制御部と、電力削減制御が実行された対象者に対して、削減電力に基づく特典を付与する付与部とを備える。
【０００４】
また、節電を目的として、ビル等の電力需要施設へのＢＥＭＳ（Ｂｕｉｌｄｉｎｇ  Ｅｎｅｒｇｙ  Ｍａｎａｇｅｍｅｎｔ  Ｓｙｓｔｅｍ）の導入が行われている。
【０００５】
ＢＥＭＳとは、電力需要施設における消費電力量を監視し、電力需要施設における機器または設備等の運転状態を管理することによって、電力需要施設における電力消費の抑制を図るためのシステムである。
【０００６】
ＢＥＭＳは、たとえばアグリゲータと呼ばれる事業者によって導入される。アグリゲータは、ＢＥＭＳを導入した電力需要施設に対してエネルギー管理支援サービスを提供する。
【先行技術文献】
【特許文献】
【０００７】
【特許文献１】特開２０１２−２０５３５８号公報
【特許文献２】特開２０１３−１６１１４４号公報
【発明の概要】
【発明が解決しようとする課題】
【０００８】
電力会社および系統運用会社等の系統側事業者は、多くの電力需要施設にＢＥＭＳが導入されることにより、全体的な電力需要を広範囲に調整することが容易となる。
【０００９】
たとえば、系統側事業者は、電力需給の逼迫が予測される場合に、アグリゲータに対して予め節電要請を行なう。そして、アグリゲータは、電力需要施設における電力管理装置に対して節電要請を行なう。
【００１０】
しかしながら、アグリゲータが節電要請を行っても、節電要請の対象期間において当該節電要請に従った電力消費の抑制が需要家の電力需要施設において行われない場合がある。このような場合、十分な節電が行われなくなり、電力需給が逼迫してしまうことがある。
【００１１】
この発明は、上述の課題を解決するためになされたもので、その目的は、電力需要施設における電力消費の抑制をより確実に行わせることが可能な電力管理装置および電力管理プログラムを提供することである。
【課題を解決するための手段】
【００１２】
（１）上記課題を解決するために、この発明のある局面に係わる電力管理装置は、電力管理装置であって、電力需要施設における消費電力の目標を示す第１目標情報、および前記電力需要施設における消費電力の計測結果を示す第１計測情報を取得する取得部と、前記取得部によって取得された前記第１目標情報および前記第１計測情報に基づいて、前記目標の達成を判断する判断部とを備え、前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、前記電力管理装置は、さらに、前記取得部によって取得された前記第２目標情報および前記第２計測情報に基づいて、前記エリア単位での消費電力の目標の達成に関する判断が可能な内容を表示する制御を行う表示制御部を備える。
【００１３】
（８）上記課題を解決するために、この発明のある局面に係わる電力管理プログラムは、電力管理装置において用いられる電力管理プログラムであって、コンピュータを、電力需要施設における消費電力の目標を示す第１目標情報、および前記電力需要施設における消費電力の計測結果を示す第１計測情報を取得する取得部と、前記取得部によって取得された前記第１目標情報および前記第１計測情報に基づいて、前記目標の達成を判断する判断部と、として機能させるためのプログラムであり、前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、さらに、コンピュータを、前記取得部によって取得された前記第２目標情報および前記第２計測情報に基づいて、前記エリア単位での消費電力の目標の達成に関する判断が可能な内容を表示する制御を行う表示制御部、として機能させるためのプログラムである。
【００１４】
本発明は、このような特徴的な処理部を備える電力管理装置として実現することができるだけでなく、電力管理装置を備える電力管理システムとして実現したり、かかる特徴的な処理をステップとする方法として実現したり、電力管理装置の一部または全部を実現する半導体集積回路として実現したりすることができる。
【発明の効果】
【００１５】
本発明によれば、電力需要施設における電力消費の抑制をより確実に行わせることができる。
【図面の簡単な説明】
【００１６】
【図１】図１は、本発明の実施の形態に係る電力管理システムの構成を示す図である。
【図２】図２は、本発明の実施の形態に係る電力管理システムにおける電力需要施設の一例を示す図である。
【図３】図３は、本発明の実施の形態に係る電力需要施設におけるフロアエリアの一例を示す図である。
【図４】図４は、本発明の実施の形態に係る電力管理システムにおける電力管理装置の構成を示す図である。
【図５】図５は、本発明の実施の形態に係る電力管理システムにおいて、表示装置に表示された画面の一例を示す図である。
【図６】図６は、本発明の実施の形態に係る電力管理システムにおいて、表示装置に表示された画面の他の例を示す図である。
【図７】図７は、本発明の実施の形態に係る電力管理装置が指示情報の処理を行う際の動作手順を定めたフローチャートである。
【発明を実施するための形態】
【００１７】
最初に、本発明の実施形態の内容を列記して説明する。
【００１８】
（１）本発明の実施の形態に係る電力管理装置は、電力管理装置であって、電力需要施設における消費電力の目標を示す第１目標情報、および前記電力需要施設における消費電力の計測結果を示す第１計測情報を取得する取得部と、前記取得部によって取得された前記第１目標情報および前記第１計測情報に基づいて、前記目標の達成を判断する判断部とを備え、前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、前記電力管理装置は、さらに、前記取得部によって取得された前記第２目標情報および前記第２計測情報に基づいて、前記エリア単位での消費電力の目標の達成に関する判断が可能な内容を表示する制御を行う表示制御部を備える。
【００１９】
このように、電力需要施設における消費電力の目標が達成されていない場合において、エリア単位での消費電力の目標の達成に関する内容を表示することにより、各エリアにおけるユーザは、自己が位置するエリアにおける消費電力の目標の達成状況等を認識することができる。これにより、たとえば、あるエリアにおける消費電力の目標が未達成である場合、ユーザが当該目標を達成するための行動を起こす可能性を高めることができる。したがって、電力需要施設における電力消費の抑制をより確実に行わせることができる。
【００２０】
（２）好ましくは、前記取得部は、消費電力の目標が未達成の前記エリアが存在する場合、前記エリアにおける１または複数の機器の消費電力の目標を示す第３目標情報を取得し、かつ前記機器の消費電力の計測結果を示す第３計測情報を取得し、前記表示制御部は、前記取得部によって取得された前記第３目標情報および前記第３計測情報に基づいて、前記機器単位または前記機器を含むグループ単位での消費電力の目標の達成に関する判断が可能な内容を表示する制御を行う。
【００２１】
このような構成により、ユーザは、消費電力の目標が未達成のエリアにおける機器に対して機器単位またはグループ単位での行動等を起こすことができるので、当該エリアにおける消費電力の目標を達成する可能性を高めることができる。
【００２２】
（３）好ましくは、前記取得部は、消費電力の目標が未達成の前記エリアが存在する場合、前記エリアにおける１または複数の機器の消費電力の目標を示す第３目標情報を取得し、かつ前記機器の消費電力の計測結果を示す第３計測情報を取得し、前記電力管理装置は、さらに、前記取得部によって取得された前記第３目標情報および前記第３計測情報に基づいて、前記第３目標情報の示す目標が未達成の前記機器、または前記機器を含むグループにおける前記機器の動作を、前記目標が達成できるように変更する機器制御を行う機器制御部を備える。
【００２３】
このように、消費電力の目標が未達成のエリアにおける機器に対して機器単位またはグループ単位で機器制御が行われる構成により、当該エリアにおける消費電力の目標を自動的かつ確実に達成することができる。
【００２４】
（４）好ましくは、前記内容は、消費電力の目標を達成するためのアドバイスを含む。
【００２５】
このような構成により、ユーザは、消費電力の目標が未達成のエリアにおいて、当該目標を達成するための行動の具体的な内容を上記アドバイスから認識することができるので、当該エリアにおける消費電力の目標を達成する可能性をより高めることができる。
【００２６】
（５）好ましくは、前記第１目標情報は、ＤＲ（Ｄｅｍａｎｄ  Ｒｅｓｐｏｎｓｅ）における目標を示し、前記電力管理装置は、さらに、前記第１目標情報に基づいて前記第２目標情報を作成する目標作成部を備える。
【００２７】
このような構成により、たとえば、ＤＲにおける目標が達成されるように第２目標情報を作成することができるので、ＤＲにおける目標が達成される可能性を高めることができる。
【００２８】
（６）好ましくは、前記取得部は、さらに、前記電力需要施設に対応する気象情報を取得し、前記表示制御部は、前記取得部によって取得された前記気象情報にさらに基づいて、消費電力の目標を達成するためのアドバイスを表示する制御を行う。
【００２９】
このような構成により、節電可能な消費電力が気象状況に応じて変化する場合においても、適切なアドバイスを表示することができるので、当該エリアにおける消費電力の目標を達成する可能性をより高めることができる。
【００３０】
（７）より好ましくは、前記取得部は、さらに、前記電力需要施設に対応する気象情報を取得し、前記機器制御部は、前記取得部によって取得された前記気象情報にさらに基づいて前記機器制御を行う。
【００３１】
このような構成により、節電可能な消費電力が気象状況に応じて変化する場合においても適切な機器制御を行うことができるので、当該エリアにおける消費電力の目標を自動的かつより確実に達成することができる。
【００３２】
（８）本発明の実施の形態に係る電力管理プログラムは、電力管理装置において用いられる電力管理プログラムであって、コンピュータを、電力需要施設における消費電力の目標を示す第１目標情報、および前記電力需要施設における消費電力の計測結果を示す第１計測情報を取得する取得部と、前記取得部によって取得された前記第１目標情報および前記第１計測情報に基づいて、前記目標の達成を判断する判断部と、として機能させるためのプログラムであり、前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、さらに、コンピュータを、前記取得部によって取得された前記第２目標情報および前記第２計測情報に基づいて、前記エリア単位での消費電力の目標の達成に関する判断が可能な内容を表示する制御を行う表示制御部、として機能させるためのプログラムである。
【００３３】
このように、電力需要施設における消費電力の目標が達成されていない場合において、エリア単位での消費電力の目標の達成に関する内容を表示することにより、各エリアにおけるユーザは、自己が位置するエリアにおける消費電力の目標の達成状況等を認識することができる。これにより、たとえば、あるエリアにおける消費電力の目標が未達成である場合、ユーザが当該目標を達成するための行動を起こす可能性を高めることができる。したがって、電力需要施設における電力消費の抑制をより確実に行わせることができる。
【００３４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３５】
［構成および基本動作］
図１は、本発明の実施の形態に係る電力管理システムの構成を示す図である。
【００３６】
図１を参照して、電力管理システム３０１は、系統側管理装置１５１と、電力消費管理装置１３１と、３つの電力管理装置１０１とを備える。
【００３７】
図１では、３つの電力管理装置１０１を代表的に示しているが、さらに多数または少数の電力管理装置１０１が設けられてもよい。
【００３８】
系統側管理装置１５１は、電力系統側である電力会社または系統運用会社等によって運用され、電力消費に関する電力管理情報を含むＤＲ（Ｄｅｍａｎｄ  Ｒｅｓｐｏｎｓｅ）要請信号を電力消費管理装置１３１へ送信する。電力管理情報は、たとえば、電力消費の抑制の対象期間（以下、ＤＲ期間とも称する。）の開始タイミングであるＤＲ開始タイミングおよびＤＲ期間の長さ、ならびに依頼電力量、電力消費の削減依頼量または削減レベルの少なくともいずれか一つを含む。なお、電力管理情報には、ＤＲ期間の長さの代わりに、ＤＲ期間の終了タイミングであるＤＲ終了タイミングが含まれていてもよい。
【００３９】
電力消費管理装置１３１は、たとえばアグリゲータによって運用され、１または複数の電力管理装置１０１と通信を行なうことにより、１または複数の電力需要施設２０１における電力消費を管理する。電力消費管理装置１３１は、たとえば、電力管理装置１０１が設けられる電力需要施設２０１から遠隔の場所に設置されることが多い。
【００４０】
たとえば、電力消費管理装置１３１は、系統側管理装置１５１からＤＲ要請信号を受信すると、受信したＤＲ要請信号に含まれる電力管理情報に基づいて、電力消費に関する指示情報を１または複数の電力管理装置１０１に送信する。
【００４１】
より詳細には、電力消費管理装置１３１は、たとえば、電力管理情報に基づいて、電力消費を抑制すべき節電期間、および抑制すべき電力量である抑制量を示す指示情報を１または複数の電力管理装置１０１へ送信する。なお、節電目標は、抑制すべき電力量に限らず、削減率または削減割合等であってもよい。
【００４２】
［電力需要施設］
図２は、本発明の実施の形態に係る電力管理システムにおける電力需要施設の一例を示す図である。
【００４３】
図２を参照して、電力需要施設２０１は、受電設備１２と、施設計測装置１３と、３つのフロアエリア２１と、電力管理装置１０１とを含む。
【００４４】
図２では、３つのフロアエリア２１を代表的に示しているが、さらに多数または少数のフロアエリア２１が設けられてもよい。
【００４５】
この例では、電力需要施設２０１は、たとえばビルである。３つのフロアエリア２１は、たとえば、当該ビルにおける１階（１Ｆ）、２階（２Ｆ）および３階（３Ｆ）の各フロアである。
【００４６】
電力管理装置１０１は、電力会社から電力の供給を受けるビル、工場または一般家庭等の電力需要施設２０１において用いられる。この例では、電力管理装置１０１は、電力需要施設２０１ごとに１つ設けられる。なお、電力管理装置１０１は、電力需要施設２０１ごとに複数設けられてもよいし、複数の電力需要施設２０１において１つ設けられてもよい。電力会社は、たとえば発電事業者または電力小売り事業者である。
【００４７】
受電設備１２は、電力線ＰＬ経由で系統から受ける電力を、電力需要施設２０１における各フロアエリア２１へ電力線ＰＬ経由で分配する。
【００４８】
施設計測装置１３は、電力需要施設２０１における消費電力を計測する。より詳細には、施設計測装置１３は、たとえば、クランプ型の電流センサ１４を用いて、受電設備１２が系統からの電力を受けるための電力線ＰＬを流れる電流を測定し、測定結果に基づいて電力需要施設２０１における消費電力を周期的に計測する。
【００４９】
施設計測装置１３は、計測結果を示す第１計測情報を作成して内部ネットワーク１１経由で電力管理装置１０１へ送信する。
【００５０】
また、施設計測装置１３は、電力需要施設２０１における各フロアエリア２１の消費電力を計測する。より詳細には、施設計測装置１３は、たとえば、電流センサ１４を用いて、受電設備１２と各フロアエリア２１とをそれぞれ接続する電力線ＰＬを流れる電流を測定し、測定結果に基づいて電力需要施設２０１における各フロアエリア２１の消費電力を周期的に計測する。
【００５１】
施設計測装置１３は、計測結果を示す第２計測情報を作成して内部ネットワーク１１経由で電力管理装置１０１へ送信する。
【００５２】
なお、施設計測装置１３は、電力需要施設２０１における消費電力、および各フロアエリア２１の消費電力の少なくともいずれか一方を不定期に計測してもよい。
【００５３】
図３は、本発明の実施の形態に係る電力需要施設におけるフロアエリアの一例を示す図である。
【００５４】
図３を参照して、フロアエリア２１には、たとえば、制御装置２２と、複数の機器２３と、表示装置２５と、機器計測装置２６とが設けられる。図３では、複数の機器２３を示しているが、１つの機器２３が設けられてもよい。
【００５５】
電力管理装置１０１は、電力需要施設２０１における１または複数の機器２３を制御可能である。機器２３は、空調装置および照明装置等の電気機器である。
【００５６】
より詳細には、電力管理装置１０１は、たとえば、制御装置２２を介して機器２３の動作を制御することによって消費電力の削減を図るためのＢＥＭＳ（Ｂｕｉｌｄｉｎｇ  Ｅｎｅｒｇｙ  Ｍａｎａｇｅｍｅｎｔ  Ｓｙｓｔｅｍ）またはＨＥＭＳ（Ｈｏｍｅ  Ｅｎｅｒｇｙ  Ｍａｎａｇｅｍｅｎｔ  Ｓｙｓｔｅｍ）等のシステムにおいて用いられる装置であり、たとえばアグリゲータによって導入される。
【００５７】
制御装置２２は、たとえば複数の機器２３を制御する。より詳細には、制御装置２２は、電力管理装置１０１から内部ネットワーク１１経由で制御命令を受信すると、受信した制御命令に従って、１つの機器２３の個別制御、および機器２３群の統括制御を行う。
【００５８】
この例では、制御装置２２は、制御命令に従って、各照明装置を個別制御し、また、空調装置群を統括制御する。
【００５９】
また、制御装置２２は、電力管理装置１０１から内部ネットワーク１１経由で動作状況報告要求を受信すると、制御対象の機器２３および機器２３群の動作状態を取得し、取得した動作状態を示す動作状況情報を作成して電力管理装置１０１へ送信する。
【００６０】
この例では、照明装置の動作状態は、当該照明装置のオンまたはオフである。また、空調装置群の動作状態は、当該空調装置群のオンまたはオフ、および設定温度である。
【００６１】
機器計測装置２６は、フロアエリア２１における機器２３および機器２３群の消費電力を計測する。より詳細には、機器計測装置２６は、たとえば、電流センサ１４を用いて、受電設備１２と機器２３および機器２３群とをそれぞれ接続する電力線ＰＬを流れる電流を測定し、測定結果に基づいてフロアエリア２１における機器２３および機器２３群の消費電力を周期的に計測する。
【００６２】
機器計測装置２６は、計測結果を示す第３計測情報を作成して内部ネットワーク１１経由で電力管理装置１０１へ送信する。
【００６３】
なお、機器計測装置２６は、フロアエリア２１における機器２３の消費電力および機器２３群の消費電力の少なくともいずれか一方を不定期に計測してもよい。
【００６４】
［電力管理装置の構成］
図４は、本発明の実施の形態に係る電力管理システムにおける電力管理装置の構成を示す図である。
【００６５】
図４を参照して、電力管理装置１０１は、通信処理部（取得部）４１と、判断部４２と、表示制御部４３と、機器制御部４４と、目標作成部４５と、記憶部４６とを備える。
【００６６】
通信処理部４１は、内部ネットワーク１１経由で施設計測装置１３、制御装置２２、表示装置２５および機器計測装置２６と情報の送受信を行うことが可能である。また、通信処理部４１は、インターネット１０経由で電力消費管理装置１３１と情報の送受信を行うことが可能である。
【００６７】
記憶部４６は、電力需要施設２０１の消費電力の履歴を示す施設履歴情報、電力需要施設２０１の消費電力の目標の履歴を示す施設目標履歴情報、および当該電力需要施設２０１における各フロアの消費電力の履歴を示すフロア履歴情報を保持する。
【００６８】
通信処理部４１は、電力需要施設２０１における消費電力の計測結果を示す第１計測情報を取得する。
【００６９】
より詳細には、通信処理部４１は、内部ネットワーク１１経由で施設計測装置１３から第１計測情報を受信すると、受信した第１計測情報の内容を、記憶部４６が保持する施設履歴情報に加えることにより当該施設履歴情報を更新する。
【００７０】
また、通信処理部４１は、内部ネットワーク１１経由で施設計測装置１３から第２計測情報を受信すると、受信した第２計測情報の内容を、記憶部４６が保持するフロア履歴情報に加えることにより当該フロア履歴情報を更新する。
【００７１】
通信処理部４１は、電力需要施設２０１における消費電力の目標を示す第１目標情報を取得する。ここで、第１目標情報は、たとえば、ＤＲ（Ｄｅｍａｎｄ  Ｒｅｓｐｏｎｓｅ）における目標を示す。
【００７２】
たとえば、通信処理部４１は、インターネット１０経由で電力消費管理装置１３１から指示情報を受信すると、受信した指示情報に基づいて、電力需要施設２０１における消費電力の目標（以下、施設目標とも称する。）を設定する。
【００７３】
具体的には、通信処理部４１は、たとえば、指示情報の示す抑制量を節電期間の長さで除した値を施設目標に設定するとともに、設定した施設目標を、記憶部４６が保持する施設目標履歴情報に加えることにより当該施設目標履歴情報を更新する。
【００７４】
通信処理部４１は、設定した施設目標を示す第１目標情報を作成して判断部４２へ出力するとともに、施設計測装置１３から受信する各第１計測情報のうちの最新の第１計測情報を判断部４２へ出力する。
【００７５】
判断部４２は、通信処理部４１によって取得された第１目標情報および第１計測情報に基づいて、施設目標の達成を判断する。
【００７６】
より詳細には、判断部４２は、通信処理部４１から第１目標情報および第１計測情報を受けると、第１目標情報の示す施設目標と第１計測情報の示す消費電力とを比較する。
【００７７】
判断部４２は、当該消費電力が施設目標より小さい場合、施設目標が達成されたと判断する。一方、判断部４２は、当該消費電力が施設目標以上である場合、施設目標が達成されていないと判断する。判断部４２は、判断結果を通信処理部４１へ出力する。
【００７８】
通信処理部４１は、施設目標が達成されていないと判断部４２によって判断された場合、電力需要施設２０１の複数のフロアエリア２１における各々の消費電力の目標（以下、エリア目標とも称する。）を示す第２目標情報を取得し、かつ複数のフロアエリア２１の各々の消費電力の計測結果を示す第２計測情報を取得する。
【００７９】
より詳細には、通信処理部４１は、判断部４２から受ける判断結果が、施設目標が達成されていないことを示す場合、第１目標情報および指示情報を目標作成部４５へ出力する。
【００８０】
目標作成部４５は、たとえば、第１目標情報に基づいて第２目標情報を作成する。
【００８１】
より詳細には、目標作成部４５は、通信処理部４１から第１目標情報および指示情報を受けると、受けた第１目標情報および指示情報、ならびに記憶部４６が保持するフロア履歴情報に基づいてエリア目標を設定する。
【００８２】
たとえば、目標作成部４５は、指示情報の示す節電期間と同じ時間帯の電力需要施設２０１における各フロアエリア２１の各々の消費電力の過去５日間分の平均を算出し、算出した各平均、および第１目標情報の示す施設目標に基づいて各フロアエリア２１のエリア目標を設定する。ここで、各フロアエリア２１のエリア目標の合計は、たとえば施設目標と同じ値となる。
【００８３】
なお、目標作成部４５は、節電期間と同じ時間帯の電力需要施設２０１における各フロアエリア２１の各々の消費電力の昨年の同月における平均をそれぞれ算出し、算出した結果および施設目標に基づいてエリア目標を設定してもよい。
【００８４】
目標作成部４５は、設定したエリア目標を示す第２目標情報を作成し、作成した第２目標情報を通信処理部４１へ出力する。
【００８５】
通信処理部４１は、目標作成部４５から第２目標情報を受けると、施設計測装置１３から受信する各第２計測情報のうちの最新の第２計測情報を取得する。そして、通信処理部４１は、第２目標情報および第２計測情報に基づいて、消費電力の目標が未達成のフロアエリア２１（以下、未達成エリアとも称する。）が存在するか否かを判断する。
【００８６】
通信処理部４１は、たとえば、未達成エリアが存在すると判断した場合、当該未達成エリアにおける１または複数の機器２３の消費電力の目標（以下、機器目標とも称する。）を示す第３目標情報を取得し、かつ当該機器２３の消費電力の計測結果を示す第３計測情報を取得する。
【００８７】
より詳細には、通信処理部４１は、動作状況報告要求を未達成エリアにおける制御装置２２へ内部ネットワーク１１経由で送信する。そして、通信処理部４１は、動作状況報告要求に対する応答である動作状況情報を当該制御装置２２から受信すると、受信した動作状況情報から各機器２３の動作状態ＭＳ１を取得する。
【００８８】
通信処理部４１は、取得した動作状態ＭＳ１、および未達成エリアのエリア目標に基づいて機器目標を設定し、設定した機器目標を示す第３目標情報を作成する。ここで、未達成エリアの各機器目標の合計は、たとえば未達成エリアのエリア目標と同じ値となる。
【００８９】
通信処理部４１は、第１目標情報、第１計測情報、第２目標情報および第２計測情報、ならびに作成した第３目標情報、および未達成エリアにおける機器計測装置２６から受信する各第３計測情報のうちの最新の第３計測情報を表示制御部４３へ出力する。
【００９０】
図５は、本発明の実施の形態に係る電力管理システムにおいて、表示装置に表示された画面の一例を示す図である。
【００９１】
図５を参照して、表示制御部４３は、第２目標情報および第２計測情報に基づいて、エリア単位での消費電力の目標の達成に関する判断が可能な内容を表示する制御を行う。
【００９２】
たとえば、表示制御部４３は、通信処理部４１によって取得された第３目標情報および第３計測情報に基づいて、機器２３単位または機器２３を含むグループ単位での消費電力の機器目標の達成に関する判断が可能な内容を表示する制御を行う。当該内容は、たとえば、消費電力の目標を達成するためのアドバイスを含む。
【００９３】
詳細には、表示制御部４３は、通信処理部４１から第１目標情報、第１計測情報、第２目標情報、第２計測情報、第３目標情報および第３計測情報を受けると、受けたこれらの情報に基づいて、画面Ｓｃ１を表示するための画面情報Ｓｃｉ１を作成する。
【００９４】
より詳細には、表示制御部４３は、第２目標情報に基づいて、画面Ｓｃ１の領域Ｒｇ１において、各フロアエリア２１におけるフロア目標を示すアイコンＩｃ２を描画する。
【００９５】
また、表示制御部４３は、第２計測情報に基づいて、画面Ｓｃ１の領域Ｒｇ１において、各フロアエリア２１における消費電力を示すアイコンＩｃ１を描画する。
【００９６】
また、電力管理装置１０１は、第２目標情報および第２計測情報に基づいて、画面Ｓｃ１の領域Ｒｇ１において、１Ｆのフロアおよび２Ｆのフロアにおける節電の達成を示すアイコンＩｃ３、ならびに３Ｆのフロアにおける節電の未達成を示すアイコンＩｃ４を描画する。
【００９７】
なお、電力管理装置１０１は、アイコンＩｃ１〜Ｉｃ４を描画する代わりに、当該アイコンの示す内容を文字列によって画面Ｓｃ１に描画してもよい。
【００９８】
また、表示制御部４３は、第３目標情報および第３計測情報に基づいて、画面Ｓｃ１の領域Ｒｇ２において、機器２３単位または機器２３を含むグループ単位での消費電力の目標を達成するためのアドバイスを描画する。
【００９９】
具体的には、表示制御部４３は、領域Ｒｇ３において、機器２３を含むグループ単位での消費電力の目標を達成するためのアドバイスを描画する。また、表示制御部４３は、領域Ｒｇ４において、機器２３単位での消費電力の目標を達成するためのアドバイスを描画する。
【０１００】
表示制御部４３は、作成した画面情報Ｓｃｉ１を通信処理部４１へ出力する。通信処理部４１は、表示制御部４３から画面情報Ｓｃｉ１を受けると、受けた画面情報Ｓｃｉ１を内部ネットワーク１１経由で各フロアエリア２１における表示装置２５へ送信する。
【０１０１】
再び図３を参照して、各フロアエリア２１における表示装置２５は、たとえばサイネージとして機能し、電力管理装置１０１から画面情報Ｓｃｉ１を受信すると、受信した画面情報Ｓｃｉ１に基づいて画面Ｓｃ１を表示する。
【０１０２】
これにより、未達成エリアにおけるユーザは、表示装置２５に表示された画面Ｓｃ１から、自己が位置するフロアエリア２１において節電目標が達成されていないことを認識することができる。そして、ユーザは、自己が位置するフロアエリア２１における空調装置群の設定温度を２８℃に上げるべきであること、および当該フロアエリア２１における照明装置の半分に相当する、照明番号が１〜５の照明装置を消灯すべきであることを認識することができるので、ユーザの実際の節電行動につなげることができる。
【０１０３】
再び図４を参照して、通信処理部４１は、未達成エリアが存在すると判断した後、第２目標情報、および機器計測装置２６から新たに受信する第２計測情報に基づいて、当該未達成エリアにおいて、消費電力の目標が達成されるか否かを監視する。
【０１０４】
通信処理部４１は、たとえば、第１目標情報、第１計測情報、第２目標情報、第２計測情報、第３目標情報および第３計測情報を表示制御部４３へ出力してから所定時間経過しても、当該未達成エリアにおいて消費電力の目標が達成されない場合、未達成エリアにおける各機器２３を強制的に制御する必要があると判断する。
【０１０５】
そして、通信処理部４１は、第３目標情報および第３計測情報を機器制御部４４へ出力する。
【０１０６】
機器制御部４４は、たとえば、通信処理部４１によって取得された第３目標情報および第３計測情報に基づいて、第３目標情報の示す機器目標が未達成の機器２３、または機器２３を含むグループにおける機器２３の動作を、当該機器目標が達成できるように変更する機器制御を行う。
【０１０７】
より詳細には、機器制御部４４は、通信処理部４１から第３目標情報および第３計測情報を受けると、受けた第３目標情報および第３計測情報に基づいて、未達成エリアにおける空調装置群の設定温度を２８℃に設定し、かつ未達成エリアにおける照明の半分を消灯するための制御命令を作成し、作成した制御命令を通信処理部４１へ出力する。
【０１０８】
通信処理部４１は、機器制御部４４から制御命令を受けると、受けた制御命令を内部ネットワーク１１経由で未達成エリアにおける制御装置２２へ送信する。
【０１０９】
再び図３を参照して、未達成エリアにおける制御装置２２は、電力管理装置１０１から制御命令を受信すると、受信した制御命令に従って、空調装置群の設定温度を２８℃に設定し、かつ照明番号が１〜５の照明装置を消灯する制御を行う。
【０１１０】
これにより、未達成エリアにおける各機器２３は、制御装置２２によって強制的に出力を弱められたり、またオフされたりするので、未達成エリアにおいて消費電力の目標が達成される可能性を高めることができる。
【０１１１】
再び図４を参照して、通信処理部４１は、たとえば機器制御が行われることにより未達成エリアにおける消費電力の目標が達成された場合、エリア目標が未達成のフロアエリア２１が存在しないと判断し、第１目標情報、第１計測情報、第２目標情報および第２計測情報、ならびに記憶部４６が保持する施設履歴情報および施設目標履歴情報を表示制御部４３へ出力する。
【０１１２】
図６は、本発明の実施の形態に係る電力管理システムにおいて、表示装置に表示された画面の他の例を示す図である。
【０１１３】
図６を参照して、表示制御部４３は、通信処理部４１から第１目標情報、第１計測情報、第２目標情報、第２計測情報、施設履歴情報および施設目標履歴情報を受けると、受けたこれらの情報に基づいて、画面Ｓｃ２を表示するための画面情報Ｓｃｉ２を作成する。
【０１１４】
より詳細には、表示制御部４３は、第２目標情報および第２計測情報に基づいて、画面Ｓｃ２の領域Ｒｇ１において、各フロアエリア２１における消費電力を示すアイコンＩｃ１、各フロアエリア２１におけるフロア目標を示すアイコンＩｃ２、および各フロアにおける節電の達成を示すアイコンＩｃ３を描画する。
【０１１５】
また、表示制御部４３は、第１目標情報、第１計測情報、施設履歴情報および施設目標履歴情報に基づいて、画面Ｓｃ２の領域Ｒｇ５において、電力需要施設２０１における消費電力の時間推移、および施設目標の時間推移を示すグラフを描画する。
【０１１６】
表示制御部４３は、作成した画面情報Ｓｃｉ２を通信処理部４１および内部ネットワーク１１経由で各フロアエリア２１における表示装置２５へ送信する。
【０１１７】
再び図３を参照して、各フロアエリア２１における表示装置２５は、電力管理装置１０１から画面情報Ｓｃｉ２を受信すると、受信した画面情報Ｓｃｉ２に基づいて画面Ｓｃ２を表示する。
【０１１８】
これにより、各フロアエリア２１に位置するユーザは、表示装置２５に表示された画面Ｓｃ２から、電力需要施設２０１における各フロアエリア２１における節電状況が良好であることを認識することができる。
【０１１９】
［電力管理装置の変形例］
機器２３単位または機器２３を含むグループ単位での消費電力の機器目標の達成に関する判断が可能な内容を表示装置２５に表示したり、また機器制御を行ったりしても、外気温または日照量等の気象条件によっては、消費電力の節減が十分に行われない場合がある。
【０１２０】
そこで、電力管理装置１０１の変形例では、以下のような構成および動作により、このような課題を解決する。
【０１２１】
電力管理装置１０１の変形例における通信処理部４１は、たとえば、電力需要施設２０１に対応する気象情報を取得する、具体的にはインターネット１０経由で収集する。
【０１２２】
より詳細には、通信処理部４１は、たとえば、節電期間における電力需要施設２０１周辺の外気温、および電力需要施設２０１における日照量を示す気象情報をインターネット１０経由で収集する。
【０１２３】
通信処理部４１は、たとえば、未達成エリアが存在すると判断した場合、第１目標情報、第１計測情報、第２目標情報、第２計測情報、第３目標情報および第３計測情報、ならびに収集した気象情報を表示制御部４３へ出力する。
【０１２４】
表示制御部４３は、たとえば、通信処理部４１によって取得された気象情報にさらに基づいて、消費電力の目標を達成するためのアドバイスを表示する制御を行う。
【０１２５】
より詳細には、たとえば、空調装置群の消費電力は、外気温および日照量に応じて変化するので、表示制御部４３は、図５に示す領域Ｒｇ３におけるアドバイスを気象情報にさらに基づいて描画する。
【０１２６】
具体的には、たとえば、気象情報の示す外気温が低い場合、空調装置群の設定温度を高く設定しても空調装置群の消費電力の節減が十分に行われないことが多い。この場合、表示制御部４３は、図５に示す領域Ｒｇ３において、「１．空調装置群の設定温度を２８℃に設定して下さい。」の代わりに「１．空調装置群をオフして下さい。」を描画する。
【０１２７】
一方、たとえば、気象情報の示す外気温が高い場合、空調装置群の設定温度を高く設定すると空調装置群の消費電力の節減が十分に行われることが多い。この場合、表示制御部４３は、図５に示すように、領域Ｒｇ３において「１．空調装置群の設定温度を２８℃に設定して下さい。」を描画する。
【０１２８】
また、たとえば、気象情報の示す日照量が多い場合、空調装置群の設定温度を維持しても窓部を遮光することにより空調装置群の消費電力の節減が十分に行われることが多い。この場合、表示制御部４３は、図５に示す領域Ｒｇ３において、「１．空調装置群の設定温度を２８℃に設定して下さい。」の代わりに「１．カーテンを閉めて下さい。」を描画する。
【０１２９】
通信処理部４１は、たとえば、第１目標情報、第１計測情報、第２目標情報、第２計測情報、第３目標情報、第３計測情報および気象情報を表示制御部４３へ出力してから所定時間経過しても、上記未達成エリアにおいて消費電力の目標が達成されない場合、未達成エリアにおける各機器２３を強制的に制御する必要があると判断する。
【０１３０】
そして、通信処理部４１は、第３目標情報、第３計測情報および気象情報を機器制御部４４へ出力する。
【０１３１】
空調装置群の消費電力は、上述したように外気温および日照量に応じて変化するので、機器制御部４４は、たとえば、通信処理部４１によって取得された気象情報にさらに基づいて機器制御を行う。
【０１３２】
より詳細には、機器制御部４４は、通信処理部４１から第３目標情報、第３計測情報および気象情報を受けると、受けた第３目標情報、第３計測情報および気象情報に基づいて、以下の処理を行う。
【０１３３】
すなわち、機器制御部４４は、気象情報の示す外気温が低い場合、未達成エリアにおける空調装置群をオフさせ、かつ未達成エリアにおける照明の半分を消灯するための制御命令を作成し、作成した制御命令を通信処理部４１へ出力する。
【０１３４】
また、機器制御部４４は、気象情報の示す外気温が高い場合、未達成エリアにおける空調装置群の設定温度を２８℃に設定し、かつ未達成エリアにおける照明の半分を消灯するための制御命令を作成し、作成した制御命令を通信処理部４１へ出力する。
【０１３５】
通信処理部４１は、機器制御部４４から制御命令を受けると、受けた制御命令を内部ネットワーク１１経由で未達成エリアにおける制御装置２２へ送信する。
【０１３６】
［動作］
電力管理システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１３７】
図７は、本発明の実施の形態に係る電力管理装置が指示情報の処理を行う際の動作手順を定めたフローチャートである。
【０１３８】
図７を参照して、電力管理装置１０１が、電力消費管理装置１３１から指示情報を受信した状況を想定する。
【０１３９】
まず、電力管理装置１０１は、電力消費管理装置１３１から受信した指示情報に基づいて施設目標を設定し、設定した施設目標を示す第１目標情報を作成する。また、電力管理装置１０１は、施設計測装置１３から受信する各第１計測情報のうちの最新の第１計測情報を取得する（ステップＳ１０２）。
【０１４０】
次に、電力管理装置１０１は、第１目標情報の示す施設目標と第１計測情報の示す消費電力とを比較し、第１計測情報の示す消費電力が施設目標以上である場合（ステップＳ１０４でＮＯ）、以下の処理を行う。
【０１４１】
すなわち、電力管理装置１０１は、施設目標が達成されていないと判断し、第１目標情報、指示情報およびフロア履歴情報に基づいてエリア目標を設定し、設定したエリア目標を示す第２目標情報を作成する。また、電力管理装置１０１は、施設計測装置１３から受信する各第２計測情報のうちの最新の第２計測情報を取得する（ステップＳ１０６）。
【０１４２】
次に、電力管理装置１０１は、第２目標情報および第２計測情報に基づいて未達成エリアを特定する（ステップＳ１０８）。
【０１４３】
次に、電力管理装置１０１は、特定した未達成エリアにおける各機器２３の動作状態ＭＳ１を取得する（ステップＳ１１０）。
【０１４４】
次に、電力管理装置１０１は、取得した動作状態ＭＳ１、および未達成エリアのエリア目標に基づいて機器目標を設定し、設定した機器目標を示す第３目標情報を作成する。また、電力管理装置１０１は、未達成エリアにおける機器計測装置２６から受信する各第３計測情報のうちの最新の第３計測情報を取得する（ステップＳ１１２）。
【０１４５】
次に、電力管理装置１０１は、第１目標情報、第１計測情報、第２目標情報、第２計測情報、第３目標情報および第３計測情報に基づいて、画面Ｓｃ１を表示装置２５に表示させる（ステップＳ１１４）。
【０１４６】
次に、電力管理装置１０１は、画面Ｓｃ１を表示装置２５に表示させてから所定時間が経過するまで待機する（ステップＳ１１６）。
【０１４７】
次に、電力管理装置１０１は、未達成エリアにおいてエリア目標が達成されない場合（ステップＳ１１８でＮＯ）、機器制御を実行する（ステップＳ１２０）。
【０１４８】
次に、電力管理装置１０１は、制御対象の未達成エリアにおける各機器２３の動作状態ＭＳ１を再び取得する（ステップＳ１１０）。
【０１４９】
一方、電力管理装置１０１は、第１計測情報の示す消費電力が施設目標より小さいか（ステップＳ１０４でＹＥＳ）、または未達成エリアにおいてエリア目標が達成されると（ステップＳ１１８でＹＥＳ）、指示情報の処理を終了する。
【０１５０】
なお、本発明の実施の形態に係る通信処理部４１は、電力消費管理装置１３１から受信する指示情報に基づいて第１目標情報を作成する構成であるとしたが、これに限定するものではない。通信処理部４１は、取得部として、たとえば電力需要施設２０１における省エネルギーを実現するための消費電力の目標を示す第１目標情報を外部または第１目標情報が保持された記憶部４６から取得する構成であってもよい。
【０１５１】
また、本発明の実施の形態に係る電力管理装置１０１は、第１目標情報に基づいて第２目標情報を作成する目標作成部４５を備える構成であるとしたが、これに限定するものではない。電力管理装置１０１は、目標作成部４５を備えず、第２目標情報を取得する取得部を備える構成であってもよい。
【０１５２】
ところで、電力会社および系統運用会社等の系統側事業者は、多くの電力需要施設にＢＥＭＳが導入されることにより、全体的な電力需要を広範囲に調整することが容易となる。
【０１５３】
たとえば、系統側事業者は、電力需給の逼迫が予測される場合に、アグリゲータに対して予め節電要請を行なう。そして、アグリゲータは、電力需要施設における電力管理装置に対して節電要請を行なう。
【０１５４】
しかしながら、アグリゲータが節電要請を行っても、節電要請の対象期間において当該節電要請に従った電力消費の抑制が需要家の電力需要施設において行われない場合がある。このような場合、十分な節電が行われなくなり、電力需給が逼迫してしまうことがある。
【０１５５】
これに対して、本発明の実施の形態に係る電力管理装置では、通信処理部４１は、電力需要施設２０１における消費電力の目標である施設目標を示す第１目標情報、および電力需要施設２０１における消費電力の計測結果を示す第１計測情報を取得する。判断部４２は、通信処理部４１によって取得された第１目標情報および第１計測情報に基づいて、施設目標の達成を判断する。通信処理部４１は、施設目標が達成されていないと判断部４２によって判断された場合、電力需要施設２０１の複数のフロアエリア２１における各々の消費電力の目標であるエリア目標を示す第２目標情報を取得し、かつ複数のフロアエリア２１の各々の消費電力の計測結果を示す第２計測情報を取得する。そして、表示制御部４３は、通信処理部４１によって取得された第２目標情報および第２計測情報に基づいて、フロアエリア２１単位での消費電力の目標の達成に関する判断が可能な内容を表示する制御を行う。
【０１５６】
このように、電力需要施設２０１における消費電力の目標が達成されていない場合において、フロアエリア２１単位での消費電力の目標の達成に関する内容を表示することにより、各フロアエリア２１におけるユーザは、自己が位置するフロアエリア２１における消費電力の目標の達成状況等を認識することができる。これにより、たとえば、あるフロアエリア２１における消費電力の目標が未達成である場合、ユーザが当該目標を達成するための行動を起こす可能性を高めることができる。したがって、電力需要施設における電力消費の抑制をより確実に行わせることができる。
【０１５７】
また、本発明の実施の形態に係る電力管理装置では、通信処理部４１は、消費電力の目標が未達成のフロアエリア２１が存在する場合、フロアエリア２１における１または複数の機器２３の消費電力の目標である機器目標を示す第３目標情報を取得し、かつ機器２３の消費電力の計測結果を示す第３計測情報を取得する。そして、表示制御部４３は、通信処理部４１によって取得された第３目標情報および第３計測情報に基づいて、機器２３単位または機器２３を含むグループ単位での消費電力の目標の達成に関する判断が可能な内容を表示する制御を行う。
【０１５８】
このような構成により、ユーザは、消費電力の目標が未達成のフロアエリア２１における機器２３に対して機器単位またはグループ単位での行動等を起こすことができるので、当該フロアエリア２１における消費電力の目標を達成する可能性を高めることができる。
【０１５９】
また、本発明の実施の形態に係る電力管理装置では、通信処理部４１は、消費電力の目標が未達成のフロアエリア２１が存在する場合、フロアエリア２１における１または複数の機器２３の消費電力の目標を示す第３目標情報を取得し、かつ機器２３の消費電力の計測結果を示す第３計測情報を取得する。そして、機器制御部４４は、通信処理部４１によって取得された第３目標情報および第３計測情報に基づいて、第３目標情報の示す機器目標が未達成の機器２３、または機器２３を含むグループにおける当該機器２３の動作を、機器目標が達成できるように変更する機器制御を行う。
【０１６０】
このように、消費電力の目標が未達成のフロアエリア２１における機器２３に対して機器単位またはグループ単位で機器制御が行われる構成により、当該フロアエリア２１における消費電力の目標を自動的かつ確実に達成することができる。
【０１６１】
また、本発明の実施の形態に係る電力管理装置では、上記内容は、消費電力の目標を達成するためのアドバイスを含む。
【０１６２】
このような構成により、ユーザは、消費電力の目標が未達成のフロアエリア２１において、当該目標を達成するための行動の具体的な内容を上記アドバイスから認識することができるので、当該フロアエリア２１における消費電力の目標を達成する可能性をより高めることができる。
【０１６３】
また、本発明の実施の形態に係る電力管理装置では、第１目標情報は、ＤＲにおける目標を示す。そして、目標作成部４５は、第１目標情報に基づいて第２目標情報を作成する。
【０１６４】
このような構成により、たとえば、ＤＲにおける目標が達成されるように第２目標情報を作成することができるので、ＤＲにおける目標が達成される可能性を高めることができる。
【０１６５】
また、本発明の実施の形態に係る電力管理装置では、通信処理部４１は、さらに、電力需要施設２０１に対応する気象情報を取得する。そして、表示制御部４３は、通信処理部４１によって取得された気象情報にさらに基づいて、消費電力の目標を達成するためのアドバイスを表示する制御を行う。
【０１６６】
このような構成により、節電可能な消費電力が気象状況に応じて変化する場合においても、適切なアドバイスを表示することができるので、当該フロアエリア２１における消費電力の目標を達成する可能性をより高めることができる。
【０１６７】
また、本発明の実施の形態に係る電力管理装置では、通信処理部４１は、さらに、電力需要施設２０１に対応する気象情報を取得する。そして、機器制御部４４は、通信処理部４１によって取得された気象情報にさらに基づいて機器制御を行う。
【０１６８】
このような構成により、節電可能な消費電力が気象状況に応じて変化する場合においても適切な機器制御を行うことができるので、当該フロアエリア２１における消費電力の目標を自動的かつより確実に達成することができる。
【０１６９】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１７０】
以上の説明は、以下に付記する特徴を含む。
【０１７１】
［付記１］
電力管理装置であって、
電力需要施設における消費電力の目標を示す第１目標情報、および前記電力需要施設における消費電力の計測結果を示す第１計測情報を取得する取得部と、
前記取得部によって取得された前記第１目標情報および前記第１計測情報に基づいて、前記目標の達成を判断する判断部とを備え、
前記取得部は、前記目標が達成されていないと前記判断部によって判断された場合、前記電力需要施設の複数のエリアにおける各々の消費電力の目標を示す第２目標情報を取得し、かつ前記複数のエリアの各々の消費電力の計測結果を示す第２計測情報を取得し、
前記電力管理装置は、さらに、
前記取得部によって取得された前記第２目標情報および前記第２計測情報に基づいて、前記エリア単位での消費電力の目標の達成に関する判断が可能な内容を表示する制御を行う表示制御部を備え、
前記電力需要施設は、ビル、工場または一般家庭であり、
前記取得部は、電力消費を抑制すべき節電期間、および抑制すべき電力量である抑制量を示す指示情報を上位装置から取得し、取得した前記指示情報に基づいて、前記電力需要施設における消費電力の目標である施設目標を設定し、
前記判断部は、前記第１計測情報の示す消費電力の計測結果が前記施設目標より小さい場合、前記施設目標が達成されたと判断し、
前記判断部は、前記第１計測情報の示す消費電力の計測結果が前記施設目標以上である場合、前記施設目標が達成されていないと判断し、
前記表示制御部は、前記第２目標情報に基づいて、前記複数のエリアにおける各々の消費電力の目標を示すアイコンを表示する制御を行い、前記第２計測情報に基づいて、前記複数のエリアの各々の消費電力の計測結果を示すアイコンを表示する制御を行い、かつ前記第２目標情報および前記第２計測情報に基づいて、前記複数のエリアの各々の節電の達成を示すアイコン、および節電の未達成を示すアイコンの少なくともいずれか一方を表示する制御を行う、電力管理装置。
【符号の説明】
【０１７２】
１０  インターネット
１１  内部ネットワーク
１２  受電設備
１３  施設計測装置
１４  電流センサ
２１  フロアエリア
２２  制御装置
２３  機器
２５  表示装置
２６  機器計測装置
４１  通信処理部（取得部）
４２  判断部
４３  表示制御部
４４  機器制御部
４５  目標作成部
４６  記憶部
１０１  電力管理装置
１３１  電力消費管理装置
１５１  系統側管理装置
２０１  電力需要施設
３０１  電力管理システム
【図１】
0006597354.tif 000002
【図２】
0006597354.tif 000003
【図３】
0006597354.tif 000004
【図４】
0006597354.tif 000005
【図５】
0006597354.tif 000006
【図６】
0006597354.tif 000007
【図７】
0006597354.tif 000008